(57)【特許請求の範囲】
【請求項１】
サンプルにレーザ光を照射して該サンプルに含まれる成分をイオン化し、発生したイオンを質量により分離して検出する質量分析装置において、
a)イオン化を行うためのレーザ光をレーザ照射位置に集光照射する、レーザ集光光学系を含むレーザ照射手段と、
b)前記レーザ照射位置を外れた所定範囲を、少なくとも前記レーザ光の集束径の分解能で肉眼により又は撮影画像により観察するための可視光学系を含み、該可視光学系で観察された所定範囲内のサンプル上の任意の分析部位を指定させるサンプル観察手段と、
c)サンプルを保持し、前記サンプル観察手段により指定されたサンプル上の分析部位が前記レーザ照射位置に来るように前記サンプルを移動させるためのサンプル搬送手段と、
を備えることを特徴とする質量分析装置。
【請求項２】
前記サンプル搬送手段は、前記レーザ照射手段によるサンプル上のレーザ照射寸法以下の位置精度で以てサンプルを搬送するものであることを特徴とする請求項１に記載の質量分析装置。
【請求項３】
前記サンプル搬送手段は、前記サンプルを載置するステージと、該ステージを所定範囲で移動させるステージ駆動手段と、前記サンプル観察手段を用いた観察時にサンプル上の任意の位置が分析部位として指定されたとき、該分析部位が前記レーザ照射位置に到達するまでの制御量を算出し、その算出された制御量に基づいて前記ステージ駆動手段を動作させる制御手段と、を含むことを特徴とする請求項１又は２に記載の質量分析装置。
【請求項４】
前記サンプル観察手段は、前記所定範囲をその略鉛直上方から観察するものであることを特徴とする請求項１〜３のいずれかに記載の質量分析装置。
【請求項５】
前記レーザ照射手段は、前記レーザ照射位置に集光照射するレーザ光の集束径が可変であることを特徴とする請求項１〜４のいずれかに記載の質量分析装置。
【請求項６】
前記サンプル搬送手段により前記サンプルを移動させながら該サンプルにレーザ光を照射して分析を実行することで、前記サンプル観察手段を用いた観察により指定されたサンプル上の任意の領域について、任意の質量を有する分子に対応した信号の有無や強度の二次元分布情報を取得することを特徴とする請求項１〜５のいずれかに記載の質量分析装置。
【請求項７】
レーザ脱離イオン化法（ＬＤＩ）によるイオン化を行うものであることを特徴とする請求項１〜６のいずれかに記載の質量分析装置。
【請求項８】
マトリクス支援レーザ脱離イオン化法（ＭＡＬＤＩ）によるイオン化を行うものであることを特徴とする請求項１〜６のいずれかに記載の質量分析装置。
【発明の詳細な説明】
【技術分野】
【０００１】
本発明は、レーザ光を試料に照射してイオン化を行うイオン源を備える質量分析装置、具体的には、レーザ脱離イオン化法（ＬＤＩ＝Laser Desorption /Ionization）やマトリクス支援レーザ脱離イオン化法（ＭＡＬＤＩ＝Matrix Assisted Laser Desorption /Ionization）によるイオン源を備える質量分析装置に関する。
【背景技術】
【０００２】
レーザ脱離イオン化法（ＬＤＩ）は、試料にレーザ光を照射し、レーザ光を吸収した物質の内部で電荷の移動を促進させてイオン化を行うものである。また、マトリクス支援レーザ脱離イオン化法（ＭＡＬＤＩ）は、レーザ光を吸収しにくい試料やタンパク質などレーザ光で損傷を受けやすい試料を分析するために、レーザ光を吸収し易くイオン化し易い物質をマトリクスとして試料に予め混合しておき、これにレーザ光を照射することで試料をイオン化するものである。特にＭＡＬＤＩを用いた質量分析装置は、分子量の大きな高分子化合物をあまり開裂させることなく分析することが可能であり、しかも微量分析にも好適であることから、近年、生命科学などの分野で広範に利用されている。なお、本明細書では、ＬＤＩやＭＡＬＤＩによるイオン源を備える質量分析装置を総称して、ＬＤＩ／ＭＡＬＤＩ−ＭＳと記すこととする。【０００３】
図５は従来知られているＬＤＩ／ＭＡＬＤＩ−ＭＳの一般的な構成を示す概略図である。図示しない真空ポンプにより真空排気される真空チャンバ１０の内部には、ステージ１３、イオン輸送光学系１６、質量分析器１７、検出器１８等がほぼ一直線上に配設され、真空チャンバ１０の外側には、レーザ照射部２０、レーザ集光光学系２２、ＣＣＤカメラ２３、観察用光学系２４などが配置されている。分析対象のサンプル１５はサンプルプレート１４上に塗布又は載置されており、このサンプルプレート１４はｘ軸、ｙ軸の２軸方向に移動可能なステージ１３上に載置される。イオン輸送光学系１６は例えば、静電的な電磁レンズや多極型の高周波イオンガイド、或いはそれらの組み合わせなどが用いられる。質量分析器１７は例えば四重極型質量分析器やイオントラップ、飛行時間型質量分析器、磁場セクター型質量分析器などが用いられる。【０００４】
次に上記装置による分析動作について説明する。まずオペレータはサンプル１５上のどの箇所を分析するのかを決める。そのために、ＣＣＤカメラ２３は真空チャンバ１０の側面に設けられた観察用窓１２及び観察用光学系２４を介してサンプル１５の画像を取得し、図示しないモニタ上に表示させる。図９はステージ１３を上方から見た平面図の一例である。【０００５】
図９において点線で示す矩形状の観察視野２３ａがＣＣＤカメラ２３で観察される範囲であり、斜線で示す略円形状の範囲がレーザ光２１の照射範囲２１ａである。観察視野２３ａはレーザ光２１の集束径よりも大きく、またレーザ光２１の照射範囲２１ａと観察視野２３ａとの中心位置はほぼ一致している。したがって、図９（ａ）に示すように、レーザ光２１の照射範囲２１ａは観察視野２３ａの内側に入る。また一般に、図９（ａ）に示す如く、レーザ光２１の集束径はサンプル１５の大きさよりも小さい。【０００６】
オペレータはステージ１３をｘ軸及びｙ軸方向に適宜に移動させて観察視野２３ａに入る範囲のサンプル１５の像を観察しながら分析部位（図９では一例として符号１５ａで示す位置を分析部位とする）を決定し、図９（ｂ）に示すようにこの分析部位１５ａをレーザ光照射範囲２１ａの中心点まで移動させる。【０００７】
その後、オペレータが分析開始を指示すると、レーザ照射部２０から出射したレーザ光２１がレーザ集光光学系２２で集光され、真空チャンバ１０の側面に設けられた照射用窓１１を通してサンプル１５の上記分析部位１５ａ付近に照射される。レーザ光２１が照射されると、サンプル１５に含まれる各種物質がイオン化されて、主としてサンプルプレート１４に略直交する方向、つまり真上にイオンが放出される。このイオンはイオン輸送光学系１６で収束されて質量分析器１７に導入され、質量分析器１７により質量（厳密には質量電荷比）毎に分離されて検出器１８に到達する。検出器１８は到達したイオンの個数に応じた電流を検出信号として出力する。したがって、例えば所定の質量範囲を走査するように質量分析器１７の動作を設定すると、検出器１８では時間経過に伴って順次異なる質量を有するイオンが検出されるから、図示しないデータ処理部においてはこの検出信号に基づいて質量スペクトルを作成することができる。
【０００８】
なお、ＣＣＤカメラ２３で撮像した画像をモニタで確認する代わりに、接眼レンズを用いてオペレータが直接目視で顕微観察する構成も採り得る。観察用光学系２４は観察の空間分解能や作動距離によってその形態が異なり、単品の素子である場合もあれば、複数の素子を組み合わせたモジュールの形態である場合、或いは、そうしたモジュールを複数組み合わせた大掛かりな構成となる場合もある。また、レーザ集光光学系２２はレーザ照射部２０の仕様や要求される集束径などによってその形態が異なり、観察用光学系２４と同様に、単品の素子である場合もあれば、複数の素子を組み合わせたモジュールの形態である場合、或いは、そうしたモジュールを複数組み合わせた大掛かりな構成となる場合もある。【０００９】
このようなＬＤＩ／ＭＡＬＤＩ−ＭＳにより高い空間分解能で以て分析が行えれば、例えば生体組織を分析することで疾患原因とそのプロセスの解明、生体機能の解明、或いはサンプルの調製方法に関する汎用的な知見などを得ることができ、非常に有用である。しかしながら、従来一般に市販されているＬＤＩ／ＭＡＬＤＩ−ＭＳでは、レーザ光の集束径は数百μｍ、ＣＣＤカメラ（又は接眼レンズ）により観察される視野は一辺が数ｍｍ程度であり、上記のような目的のためには全く不十分である。また、例えば非特許文献１などには、レーザ光の集束径を数十μｍ程度まで絞って分析を行うことが記載されているものの、生体細胞の大きさが数十μｍであることを考えると、その中の特定部位の分析を行うためにはその程度の集束径でも十分とは言えず、好ましくは数μｍ程度の高い空間分解能が要求される。【００１０】
ＬＤＩ／ＭＡＬＤＩ−ＭＳにおいて分析の空間分解能を向上させるために必要な条件は次のようなことである。
（１）高い空間分解能で以てサンプルを観察できること。
（２）サンプルに照射されるレーザ光の集束径を小さく絞ること。
（３）サンプル上の狙った位置に正確にレーザ光を照射可能であること。
（４）レーザ照射や観察のための光学系がイオンの検出効率を妨げないこと。【００１１】
従来においても分析の空間分解能の向上を目的とした改良が加えられた装置が知られている。図６は例えば非特許文献２に記載の装置の構成を示す概略図である。図５と同一の又は相当する構成要素には同一符号を付している。この装置では、図５における観察用光学系２４に代わるものとしてズームレンズ２６が使用されるとともに、レーザ照射部２０の出射口付近に光域制限用のアパーチャ２５が設置されている。【００１２】
図５では、レーザ照射部２０から出射されたレーザ光２１は出射直後に平行光として描画してあるが、多くの場合、厳密に言えばレーザ照射部２０の内部又は出射直後にビームは極小径となり、そこからビームが進行するに伴って徐々に広がるビーム形状を有している。理想的な平行光である場合には例えば図６に示すようにアパーチャ２５を設けて光域を制限すると、レーザ集光の開口数が小さくなりレーザ集束径は却って大きくなってしまう。これに対し、拡散するビームの場合にはアパーチャ２５を設けることによりビームの極小径が小さくなり、それが結像される結果であるところの最終的な集束径も小さくすることができる。もちろん、アパーチャ２５を設けると光の一部が遮られるからレーザ光のパワーが損失する。これを避けるには、アパーチャ２５の代わりにレンズを用いてプレフォーカスを行えばよい。【００１３】
しかしながら、いずれにしても図６に示す構成では、レーザ集光光学系２２、観察用光学系のズームレンズ２６ともに作動距離が大きく、それ故に光学系の開口数が小さい。そのため、レーザ光２１の集束径と観察の空間分解能とのいずれについても、従来に比べて大きく改善することは困難である。【００１４】
レーザ照射光学系、観察用光学系の作動距離を小さくするために、図７に示すように光学系２２、２４をサンプル１５に近い位置に設けることが考えられる。この構成では、両光学系２２、２４ともに開口数が大きくなるので、観察の空間分解能を上げるとともにレーザ光２１の集束径を絞ることができる。ところが、サンプル１５のレーザ照射位置付近から発生するイオンは主にサンプルプレート１４の法線方向、つまり軸Ｃに沿った方向に運動エネルギーを付与されて飛行を始めるため、観察用光学系２４とレーザ集光光学系２２にイオンが接触して損失することを防止するには、この軸Ｃの周囲の空間をできるだけ広く開けておく必要がある。また、もちろん、一方の光学系が他方の光学系の素子や光軸に干渉しないように配置する必要もある。こうした制限から、各光学系２２、２４をサンプル１５に近づけるのには限界がある。【００１５】
上記限界は特に観察用光学系２４にとって大きな問題となる。例えば、紫外レーザ光は、市販の安価な集光レンズをレーザ集光光学系２２として用いることにより、容易に作動距離数十ｍｍで数μｍの集束径を達成できる。一方、互いの光学系が干渉しないようにするには観察用光学系２４も同程度の作動距離であることが好ましく、また微小な分析部位を確実にレーザ光の照射範囲に移動させるためにはレーザの集束径と同程度の分解能の観察光学系を構築する必要がある。しかしながら、コヒーレント性が強いレーザ光と異なり、通常の可視光では、数十ｍｍの作動距離では数μｍの空間分解能で観察できるようにすることは殆ど不可能である。したがって、図７に示す構成では、レーザ光の集束径はほぼ所望の程度に絞ることができたとしても、観察の空間分解能はそれに見合った程度まで上げることは困難である。【００１６】
また非特許文献３には、図８に示すような構成の装置が記載されている。この構成では、ステージ１３の上方に、穴有り観察・レーザ集光兼用光学系と穴有りミラー２８とが配置され、観察用窓１２の外側には波長選択ミラー２９が配置されている。サンプル１５の像は、穴有り観察・レーザ集光兼用光学系２７、穴有りミラー２８、観察用窓１２、及び波長選択ミラー２９を通してＣＣＤカメラ２３で撮像される。レーザ照射部２０より出射されたレーザ光２１は波長選択ミラー２９、観察用窓１２を通過し、穴有りミラー２８で下向きに反射されて穴有り観察・レーザ集光兼用光学系２７で集光されてサンプル１５に照射される。このレーザ照射によってサンプル１５から発生したイオンは、穴有り観察・レーザ集光兼用光学系２７と穴有りミラー２８の穴を通ってイオン輸送光学系１６に到達する。【００１７】
この構成では、上記のような光学系の干渉等の問題を心配することなく、穴有り観察・レーザ集光兼用光学系２７をサンプル１５に十分に近づけることができるから、観察の空間分解能を十分に高くし、レーザ光の集束径もかなり小さく絞ることができる。しかしながら、イオンは主としてサンプルプレート１４の法線方向に飛び出して飛行するとは言うものの、厳密にはそれと直交する方向にも速度成分を有しているため、穴有り観察・レーザ集光兼用光学系２７や穴有りミラー２８の穴を通過できないイオンも存在し、それによってイオンの輸送効率が低下することは避けられない。また、レーザ光２１は波長選択ミラー２９、穴有り観察・レーザ集光兼用光学系２７、穴有りミラー２８などを通過又は反射する度にそのパワーを損失するため、図５などの構成に比べるとサンプル１５でのイオンの発生効率も低くなる。【００１８】
【非特許文献１】チャウランド（P. Chaurand）ほか３名、「プロファイリング・アンド・イメージング・プロテインズ・イン・ティッシュ・セクションズ・バイ・ＭＳ（Profiling and imaging proteins in tissue sections by MS）」、アナリティカル・ケミストリ（Analytical Chemistry）、2004, Vol.76, No.5, p.86A-93A
【非特許文献２】キャプリオリ（R. M. Caprioli）ほか２名、「モレキュラー・イメージング・オブ・バイオロジカル・サンプルズ：ローカリゼイション・オブ・ペプチドズ・アンド・プロテインズ・ユージング・ＭＡＬＤＩ−ＴＯＦ  ＭＳ（Molecular imaging of biological samples: Localization of peptides and proteins using MALDI-TOF MS）」、アナリティカル・ケミストリ（Analytical Chemistry）、1997, Vol. 69, No. 23, p.4751-4760
【非特許文献３】スペングラー（B. Spengler）ほか１名、「スキャンニング・マイクロプローブ・マトリクス−アシステッド・レーザ・デソープション・イオナイゼイション（ＳＭＡＬＤＩ）・マス・スペクトロメトリー：  インストゥルメンテイション・フォー・サブ−マイクロメータ・リソルブド・ＬＤＩ・アンド・ＭＡＬＤＩ・サーフェイス・アナリシス（Scanning Microprobe Matrix-Assisted Laser Desorption Ionization (SMALDI) Mass Spectrometry: Instrumentation for Sub-Micrometer Resolved LDI and MALDI Surface Analysis）」、ジャーナル・オブ・アメリカン・ソサイエティ・フォー・マス・スペクトロメトリ（Journal of American Society for Mass Spectrometry）、2002, Vol.13, No.6, p.735-748
【発明の開示】
【発明が解決しようとする課題】
【００１９】
本発明はこのような課題を解決するために成されたものであり、その目的とするところは、サンプルでのイオン発生効率や飛行途中でのイオン輸送効率を落とすことなく、つまり分析感度を確保しつつサンプルの観察の空間分解能を高め、且つサンプルへのレーザの集束径を絞ることにより高い分析の空間分解能を達成することができる質量分析装置を提供することにある。
【課題を解決するための手段】
【００２０】
上記課題を解決するために成された本発明は、サンプルにレーザ光を照射して該サンプルに含まれる成分をイオン化し、発生したイオンを質量により分離して検出する質量分析装置において、
a)イオン化を行うためのレーザ光をレーザ照射位置に集光照射する、レーザ集光光学系を含むレーザ照射手段と、
b)前記レーザ照射位置を外れた所定範囲を、少なくとも前記レーザ光の集束径の分解能で肉眼により又は撮影画像により観察するための可視光学系を含み、該可視光学系で観察された所定範囲内のサンプル上の任意の分析部位を指定させるサンプル観察手段と、
c)サンプルを保持し、前記サンプル観察手段により指定されたサンプル上の分析部位が前記レーザ照射位置に来るように前記サンプルを移動させるためのサンプル搬送手段と、
を備えることを特徴としている。
【００２１】
従来のこの種の質量分析装置では、サンプル観察手段により観察し得る上記所定範囲とレーザ照射手段によりレーザ光が集光照射される上記所定位置とが重なっていたのに対し、本発明に係る質量分析装置では、上記所定位置は上記所定範囲を外れた、つまり両者が重ならないようにサンプル観察手段とレーザ照射手段との配置が決められている。このようにサンプル観察の所定範囲とレーザ照射の所定位置とが分離されていることにより、サンプル観察手段の光軸とレーザ照射手段の光軸とを互いに離すことができ、例えば観察用光学系を観察位置にあるサンプルに近づけて配置しても、分析時にサンプル上のレーザ照射位置付近から発生するイオンの飛行を妨害することがなく、またレーザ集光光学系やその光軸と干渉することも回避することができる。それによって、観察用光学系の作動距離を小さくすることができ、開口数を大きくして観察の空間分解能を向上させることができる。【００２２】
なお、レーザ集光光学系は分析時にサンプル上のレーザ照射位置付近から発生するイオンの飛行を妨害するおそれがあるため、極端に分析位置にあるサンプルに近づけることはできないが、上述したようにレーザ光はコヒーレント性が強いため観察用光学系と比較して作動距離が長くてもかなりビーム径を絞ることが可能である。したがって、レーザ集光光学系はイオンの飛行の妨害とならない位置まで離しても問題はない。
【発明の効果】
【００２３】
以上のように本発明に係る質量分析装置では、レーザ光のパワーを損失することなくサンプルにレーザ光を照射できるのでイオンの発生効率が高く、また発生したイオンの飛行が妨害されにくいのでイオンの輸送効率も高い状態を維持できる。それによって、高感度の分析が行える。また、高い空間分解能で以てサンプルの観察が行え、サンプルへ照射されるレーザ光の集束径も小さくできるので、分析の空間分解能を高くすることができる。これにより、従来の装置では解析が困難であった、生体細胞の中の特定微小部位の分析なども可能となり、特に生命科学の分野において有用な情報を収集することができる。【００２４】
上述したように本発明に係る質量分析装置では、サンプル観察の所定範囲とレーザ照射位置とが離れているため、分析部位決定後に実際に分析を実行する際には、サンプル搬送手段によりサンプルを観察位置から分析位置まで搬送することになる。このとき、サンプル搬送の位置精度が悪く分析部位の面積が小さいと分析部位にレーザが当たらなくなるおそれがある。
【００２５】
そこで、好ましくは、前記サンプル搬送手段は、前記レーザ照射手段によるサンプル上のレーザ照射寸法以下の位置精度で以てサンプルを搬送する構成とするとよい。この構成によれば、分析部位が非常に微小であっても、分析部位には必ずレーザ光が当たり、分析部位の分析を確実に行うことができる。【００２６】
また、本発明に係る質量分析装置では、サンプルが観察位置にある状態でサンプルを観察しながら分析部位を決定した後、サンプルを分析位置にまで搬送して分析部位にレーザ光が当たるようにするために、オペレータがサンプル搬送手段によりマニュアルでサンプルを移動させる構成とすることもできるが、多数のサンプルを効率良く分析したい場合にはこうしたマニュアル操作は面倒である。【００２７】
そこで、本発明に係る質量分析装置において、前記サンプル搬送手段は、前記サンプルを載置するステージと、該ステージを所定範囲で移動させるステージ駆動手段と、前記サンプル観察手段を用いた観察時にサンプル上の任意の位置が分析部位として指定されたとき、該分析部位が前記レーザ照射位置に到達するまでの制御量を算出し、その算出された制御量に基づいて前記ステージ駆動手段を動作させる制御手段と、を含む構成とするのが好ましい。
【００２８】
この構成によれば、オペレータが分析部位を決定すれば、自動的に分析部位にレーザ光が照射されるように位置決めが成されるので、観察の所定範囲とレーザ照射位置とが重なっているような従来の装置に劣らない操作性を達成することができる。
【００２９】
また、本発明に係る質量分析装置において、前記サンプル観察手段は前記所定範囲をその略鉛直上方から観察するものである構成とすることができる。【００３０】
この構成によれば、サンプルの状態をその真上から観察できるので、例えばサンプル表面に凹凸があるような場合でも分析部位を見つけ易い。【００３１】
さらにまた、本発明に係る質量分析装置において、前記レーザ照射手段は、前記レーザ照射位置に集光照射するレーザ光の集束径が可変である構成とするとよい。
【００３２】
レーザ光の集束径を必要以上に小さくすると、励起される分子数が減って信号強度が低くなるおそれがあるが、上記構成によれば、分析目的等に合わせてレーザ光の集束径を適正に調整することで、必要な空間分解能を達成しながら十分な信号強度を得て、高感度な分析を行うことができる。【００３３】
なお、本発明に係る質量分析装置の一態様として、前記サンプル搬送手段により前記サンプルを移動させながら該サンプルにレーザ光を照射して分析を実行することで、前記サンプル観察手段を用いた観察により指定されたサンプル上の任意の領域について、任意の質量を有する分子に対応した信号の有無や強度の二次元分布情報を取得する構成とすることができる。【００３４】
この構成によれば、サンプル上の任意の領域のマッピング分析を高い空間分解能で以て行うことができ、装置の付加価値が一層向上する。
【図面の簡単な説明】
【００３５】
【図１】本発明の第１実施例によるＬＤＩ／ＭＡＬＤＩ−ＭＳの全体構成を示す概略図。
【図２】第１実施例のＬＤＩ／ＭＡＬＤＩ−ＭＳにおいてサンプルを上方から見た平面図。
【図３】本発明の第２実施例のＬＤＩ／ＭＡＬＤＩ−ＭＳにおいてサンプルを上方から見た平面図。
【図４】本発明の第３実施例によるＬＤＩ／ＭＡＬＤＩ−ＭＳの全体構成を示す概略図。
【図５】従来のＬＤＩ／ＭＡＬＤＩ−ＭＳの全体構成を示す概略図。
【図６】従来のＬＤＩ／ＭＡＬＤＩ−ＭＳの全体構成を示す概略図。
【図７】従来のＬＤＩ／ＭＡＬＤＩ−ＭＳの全体構成を示す概略図。
【図８】従来のＬＤＩ／ＭＡＬＤＩ−ＭＳの全体構成を示す概略図。
【図９】図５のＬＤＩ／ＭＡＬＤＩ−ＭＳにおいてサンプルを上方から見た平面図。
【符号の説明】
【００３６】
１０…真空チャンバ
１１…照射用窓
１２…観察用窓
１３…ステージ
１４…サンプルプレート
１５…サンプル
１５ａ…分析部位
１６…イオン輸送光学系
１７…質量分析器
１８…検出器
２０…レーザ照射部
２１…レーザ光
２１ａ…レーザ光照射範囲
２２…レーザ集光光学系
２３…ＣＣＤカメラ
２３ａ…観察視野
２４…観察用光学系
３０…ステージ駆動機構
３０１…ｘ軸ガイド
３０２…ｙ軸ガイド
３０３…レール
３０４、３０５…ストッパ
３１…ステージ駆動部
３２…制御部
３３…操作部
３４…表示部
４０…気密室
４１…試料導入管
４２…透過照明部
４３…イオントラップ
４４…真空ポンプ
【発明を実施するための最良の形態】
【００３７】
以下、本発明に係る質量分析装置の実施例であるＬＤＩ／ＭＡＬＤＩ−ＭＳについて図面を参照して説明する。図１は本発明の一実施例（第１実施例）によるＬＤＩ／ＭＡＬＤＩ−ＭＳの全体構成を示す概略図である。図１において既に説明した図５〜図８と同一の構成要素については同一符号を付して説明を略す。
【００３８】
第１実施例によるＬＤＩ／ＭＡＬＤＩ−ＭＳでは、サンプルプレート１４を上部に載置するためのステージ１３はステージ駆動機構３０により特にｘ軸方向に大きくスライド移動可能となっている。即ち、図１でステージ１３を実線で示す位置が分析位置であり、点線で示す位置が観察位置である。但し、分析位置及び観察位置は必ずしも固定された１つの位置ではなく或る範囲を有しており、それぞれサンプル１５の大きさによってその範囲が決まり、サンプル１５が小さいときには分析位置及び観察位置は狭くなりサンプル１５が大きいときには広くなる。【００３９】
サンプル１５が分析位置にあるとき、レーザ照射部２０より発せられたレーザ光２１はサンプル１５に近接して配置されたレーザ集光光学系２２で集光されてサンプル１５の所定位置に当たる。質量分析を行うためのイオン輸送光学系１６、質量分析器１７、検出器１８は分析位置にあるサンプル１５の上方に軸Ｃに沿って配置されている。一方、ＣＣＤカメラ２３はほぼ鉛直下方を撮影するように配置され、観察位置にサンプル１５が存在するときに、観察用窓１２、観察用光学系２４を通してサンプル１５の上面の所定範囲の像を撮影する。【００４０】
即ち、本実施例の装置の最大の特徴は、従来、レーザ照射部２０より発せられたレーザ光２１の照射範囲とＣＣＤカメラ２３によるサンプル１５の観察視野とが重なっていたのに対し、レーザ光２１の照射範囲と観察視野とが重ならず、ｘ軸方向に離れた位置に設定されていることである。図２は第１実施例におけるステージ１３の移動範囲全体を上方から見た平面図である。ステージ１３はｙ軸方向に延伸するｙ軸ガイド３０２に沿ってｙ軸方向に所定範囲で移動可能である。また、ｙ軸ガイド３０２はｘ軸方向に延伸するｘ軸ガイド３０１に沿ってｘ軸方向に所定範囲で移動可能である。図に明らかなように、ＣＣＤカメラ２３による観察視野２３ａの中心点とレーザ光照射範囲２１ａの中心点とはｘ軸方向に距離Ｌだけ離れている。【００４１】
このように観察視野２３ａとレーザ光照射範囲２１ａとを離したことにより、観察用光学系２４がレーザ集光光学系２２やサンプル１５から飛び出したイオンの飛行経路と干渉することがなくなり、観察用光学系２４を観察位置にあるサンプル１５に近づけることで高空間分解能の顕微観察が行える。【００４２】
次に、第１実施例のＬＤＩ／ＭＡＬＤＩ−ＭＳによる分析動作を説明する。まず、操作部３３でオペレータがサンプル観察を指示すると、制御部３２による制御の下に、ステージ駆動部３１がステージ駆動機構３０を作動させてステージ１３を観察位置の初期位置まで移動する。そして、その状態でＣＣＤカメラ２３は観察視野２３ａの範囲の画像を取得し、制御部３２を通して表示部３４の画面上にその画像を表示させる。上述したようにこのとき顕微観察される画像は高い空間分解能を有しており、微小部分まで明瞭に見える。オペレータは操作部３３の操作によりステージ１３をｘ軸及びｙ軸方向に適宜に移動させ、サンプル１５上の所望の分析部位１５ａが観察視野２３ａの基準点である中心点にくるようにステージ１３を移動させる（図２（ｂ）参照）。【００４３】
オペレータが操作部３３で上述したような分析部位１５ａの基準点への位置合わせが終了したことを指示すると、制御部３２は上記距離Ｌに相当する分だけｘ軸方向にステージ１３を移動させるべくステージ駆動部３１を制御し、ステージ駆動部３１はステージ駆動機構３０を動作させる。距離Ｌに相当する制御量は例えば予め計算又は較正で求めておくことができる。これにより、図２（ｃ）に示すようにステージ１３がｘ軸方向に移動され、分析部位１５ａがレーザ光照射範囲２１ａの中心位置に来て、分析の準備が完了する。【００４４】
その後、分析開始の指示が与えられると、レーザ照射部２０から出射したレーザ光２１がレーザ集光光学系２２で微小径に絞られてサンプル１５上の分析部位１５ａに照射され、その付近からイオンが発生する。このイオンは効率良くイオン輸送光学系１６に捕捉され、質量分析器１７を介して検出器１８に送られる。【００４５】
なお、オペレータの操作により、サンプル１５上の所望の分析部位１５ａが観察視野２３ａの基準点である中心点にくるようにステージ１３を移動させるのではなく、次のように自動制御を行ってもよい。即ち、分析部位を指定するようなマーカを観察視野２３ａの画像に重畳して表示し、オペレータがそのマーカを画面上で移動させて（このときステージ１３は移動しない）分析部位１５ａを指示する。すると、その指定された分析部位１５ａと画面の基準点との距離が例えば予め求められた画面上の座標位置と実際のステージ１３の移動距離との関係から計算され、その計算値と上記距離Ｌに相当する移動量との加減算処理により実際に移動させるべき制御目標値を決めてステージ駆動機構３０を移動させるとよい。【００４６】
もちろん、自動的にステージ１３を移動させるのではなく、オペレータが手動操作で決められた位置まで又は決められた長さだけステージ１３を移動する操作を行うようにしてもよい。【００４７】
また、上記構成では従来の場合よりもステージ１３の移動距離が大きくなる。このとき、単に可動範囲の大きなステージ１３を用いれば機構系の構造は簡単であるが、一般にはステージ１３はその可動範囲が大きいほど高価になる傾向にある。そこで、本発明に係るＤＩ／ＭＡＬＤＩ−ＭＳの第２実施例として次のような構成としてもよい。【００４８】
図３は第２実施例のＬＤＩ／ＭＡＬＤＩ−ＭＳにおけるステージ１３の移動範囲全体を上方から見た平面図である。この例では、従来と同様に、ｘ軸ガイド３０１、ｙ軸ガイド３０２に沿ってそれぞれｘ軸及びｙ軸方向に狭い可動範囲のステージ１３を使用し、このステージ１３、ｘ軸ガイド３０１及びｙ軸ガイド３０２全体がｘ軸方向に延伸するレール３０３上をスライド移動する構成となっている。レール３０３の両端にはストッパ３０４、３０５が設けられ、ｘ軸ガイド３０１の左端部が左側のストッパ３０４に当接する位置が観察位置であり、ｘ軸ガイド３０１の右端部が右側のストッパ３０５に当接する位置が分析位置である。【００４９】
したがって、図３（ｂ）に示すように観察視野２３ａの中心点である基準点に分析部位１５ａが来るようにステージ１３の位置が調整された後、ｘ軸ガイド３０１の右端部が右側のストッパ３０５に当接する位置までステージ１３全体を移動させれば、図３（ｃ）に示すようにレーザ光照射範囲２１ａの中心点に分析部位１５ａがくる。これにより、狭い可動範囲のステージでも本発明で意図する動作を達成することができる。【００５０】
次に生体組織や細胞等の生体試料の顕微質量分析に特に好適な、本発明の第３実施例であるＬＤＩ／ＭＡＬＤＩ−ＭＳについて図４を参照して説明する。図４はこの第３実施例のＬＤＩ／ＭＡＬＤＩ−ＭＳの全体構成を示す概略図であり、第１実施例（及び従来技術）と同一の構成要素については同一符号を付してある。【００５１】
上記第１実施例の構成では、サンプル１５にレーザを照射してイオンを発生させるイオン化部やサンプル１５を顕微観察するための顕微観察部は真空チャンバ１０内に設けられていたが、この第３実施例の構成では、イオン化部及び顕微観察部は、真空ポンプ４４により真空排気される真空チャンバ１０とは別の気密室４０内に配置されており、真空チャンバ１０内のガス圧とは異なる任意のガス圧にすることが可能である。これにより、気密室４０内を略大気圧雰囲気に保ってサンプル１５に対する大気圧ＬＤＩ／ＭＡＬＤＩによるイオン化が可能となっている。【００５２】
また観察位置にはＣＣＤカメラ２３と対向するように透過照明部４２が設置され、サンプル１５が観察位置に来るように移動されたときに、透過照明部４２から出射した光がステージ１３に形成されている開口を通してサンプル１５の下面に当たり、その透過光による試料像をＣＣＤカメラ２３（又は顕微鏡）により観察できるようになっている。もちろん、このような透過観察のほかに反射観察や蛍光観察のための照明を別途設けてもよい。【００５３】
また真空チャンバ１０内にあって質量分析器１７はＴＯＦであるが、その前段にイオントラップ４３を設け、イオントラップ４３内において導入した各種イオンの中で特定質量のイオンをプリカーサイオンとして選別してＣＩＤ（衝突誘起解離）により開裂を生じさせ、それによって生成されたプロダクトイオンをＴＯＦで質量分析できるようにしている。即ち、この構成では、ＭＳ／ＭＳ分析又はＭＳｎ分析が可能となっている。
【００５４】
このＬＤＩ／ＭＡＬＤＩ−ＭＳによる分析動作を説明する。第１実施例のＬＤＩ／ＭＡＬＤＩ−ＭＳと同様に、生体試料であるサンプル１５を観察位置に移動した状態で透過照明部４２から光をサンプル１５に照射し、その透過光を捉えたＣＣＤカメラ２３で撮影される画像に基づいて質量分析範囲を決めた後に分析を開始する。ステージ１３の移動により分析位置に来たサンプル１５に対し、略大気圧雰囲気下でレーザ光２１が照射され、サンプル１５からイオンが発生する。サンプル１５が大気圧雰囲気に置かれることで乾燥等の変質も抑えられる。【００５５】
サンプル１５から発生したイオンは試料導入管４１に吸い込まれて気密室４０から真空チャンバ１０に送られ、イオン輸送光学系１６を介してイオントラップ４３に導入される。イオントラップ４３では例えば特定質量を持つイオンのみが残され、外部から導入されたＣＩＤガスとの接触により開裂が促進される。そして、開裂により生成された各種のプロダクトイオンが質量分析器１７により質量毎に分離されて検出器１８により検出される。このようにＭＳ／ＭＳ又はＭＳｎ分析で得られたマススペクトルを解析処理することにより分析を行った部位の物質を同定し、サンプル１５上の所定範囲について同様の分析を繰り返すことにより後述のような質量分析イメージングを行うことができる。
【００５６】
なお、上記各実施例ではステージ１３をｘ軸方向に直線状に大きく移動させることでサンプル１５を観察位置と分析位置との間で搬送するようにしていたが、直動式である必要はなく、回動式など他の形態の駆動機構を利用してもよい。【００５７】
上記構成において、分析部位１５ａのサイズがレーザ光照射範囲２１ａの大きさ（集束径）に比べて大きい場合にはあまり問題にはならないが、本発明の利点を最大限に引き出すためには、位置決め精度の優れたステージ駆動機構３０を用いることが好ましい。具体的には、分析部位１５ａの面積が限りなく０に近いときにもその部位を確実に分析するためには、ステージ１３の位置決め精度はレーザ光２１の集束径以下である必要がある。例えばレーザの集束径がφ５μｍであるとしたならば、ステージ１３の位置決め精度は±２．５μｍ以下に抑える必要があり、こうした条件を満たすステージ駆動機構３０を選定するとよい。【００５８】
近年、マグネスケールやレーザスケールによる位置検知を利用したフィードバック制御により、可動範囲が数百ｍｍであって且つサブミクロンの精度で以て位置決めが可能なステージが容易に入手できるようになっている。したがって、こうした装置を用いれば上記のような条件は容易に満たすことができる。また、フィードバック制御に依らずとも、通常のオープンループの制御で以て上述のような位置決め精度を達成することも十分に可能である。【００５９】
また、上記構成によれば高い空間分解能での分析が可能となるため、分析部位１５ａを点でなく領域で指定し、その領域内でマッピング分析を行うことにより、例えば任意の質量の分子の密度についての二次元分布等、有益な情報を取得する、つまり質量分析イメージングを行うことができる。サンプル１５上の領域の指定方法には各種形態が考え得るが、オペレータの操作性を考えると、ＣＣＤカメラ２３で撮影した画像を表示部３４の画面上に表示させて、マウス等のポインティングデバイスにより領域指定を行えると便利である。【００６０】
また、領域指定の後に分析位置までステージ１３を移動させる方法は上記実施例と同様の方法を用いることができる。例えば、観察視野内に任意に設定した基準点（例えば中心点）とレーザ照射範囲との距離Ｌ等を予め正確に把握しておき、指定された領域と上記基準点との距離や座標位置などの相対位置関係を求め、指定領域からレーザ照射範囲までの移動距離等を計算して実際にステージを移動させながらレーザ照射を繰り返し実行して走査を行う。実用上、走査は自動的に行うことが望ましい。また、走査のステップ幅はオペレータが任意に設定できるようにしておくとよい。【００６１】
また、生体細胞などの分析の際には、一般にレーザ光の集束径を絞ると照射範囲内の分子総数が減ることで信号量が減少し、Ｓ／Ｎ比が悪化する。したがって、レーザの集束径は小さいほどよいというわけではなく、分析対象に応じた集束径に設定可能な構成とするのがよい。例えば直径５μｍの細胞核全体について分析を行うことが目的であり、それ以上の空間分解能が必要ない場合には、たとえ装置自体が１μｍのレーザ集束径を達成する能力を有していたとしても、あえて５μｍの集束径に設定することが望ましい。これにより、レーザ光の照射範囲が広くなって信号量が増加し、Ｓ／Ｎ比が良好になって感度の高い分析が行える。【００６２】
上記のようにマッピング分析を行う場合にも、レーザ光の集束径が可変であることは有用である。例えば走査ステップ幅が５μｍであるならばマッピングの空間分解能も５μｍであるため、レーザの集束径がそれよりも小さくても意味がない。このような場合にはレーザの集束径を走査ステップ幅と同一にすることで、空間分解能を落とすことなく信号のＳ／Ｎ比を向上させて感度を高めることができる。【００６３】
ここでレーザ光の集束径を可変にする方法は任意である。但し、本発明の利点を最大限に引き出すためにはレーザ光のパワーをできるだけ損失しないことが重要である。例えば、レーザ集光光学系を自動又は手動で光軸に沿った方向に移動させてレーザの集光点を移動させてもよいし、レーザ集光光学系２２が複数のレンズを組み合わせた構成の場合には、レンズ間距離を変更してもよい。また、レーザ集光光学系２２全体を別の仕様のものに変更してもよい。【００６４】
なお、上記実施例は本発明の一例であり、本発明の趣旨の範囲で適宜に変更、修正、追加を行っても本願請求の範囲に包含されることは当然である。
【図１】
0004775821.tif 000002
【図２】
0004775821.tif 000003
【図３】
0004775821.tif 000004
【図４】
0004775821.tif 000005
【図５】
0004775821.tif 000006
【図６】
0004775821.tif 000007
【図７】
0004775821.tif 000008
【図８】
0004775821.tif 000009
【図９】
0004775821.tif 000010